(57)【要約】【課題】目地幅の経時変化による広がりに対応することができ、止水性に優れ、かつ、施工性に優れる定型ガスケットを提供する。【解決手段】中央部に略菱形状の中空部１２を有すると共に、左右両端部に、外面に粘着材Ｂを配したシール部１３を有し、目地幅Ｗより幅狭の柱部１１と、柱部１１の上端部に一体成形され、目地幅Ｗより幅広の頭部１４と、柱部１１の下端部に一体成形され、目地幅Ｗより幅狭で、下面に粘着材Ｂを配した足部１５とから構成され、頭部１４を押圧して、足部１５の粘着材Ｂが目地２の底面２ａに達して接着するまで圧入した後、頭部１４をさらに押圧すると、柱部１１が左右に弾性変形して広がりシール部１３の粘着材Ｂが木口面１ａに接着するようにする。【選択図】      図４
2005336726.tif 000002
【特許請求の範囲】
【請求項１】
主として建物の外壁パネル（１）間の目地２に止水のために圧入される定型ガスケットであって、上下中程に中央部が上下の付根部より広がった形状の中空部（１２）を有すると共に，左右両端部にシール部（１３）を有し，目地幅（Ｗ）より幅狭の柱部（１１）と、前記柱部の上端部に一体成形され，目地幅より幅広の頭部（１４）と、前記柱部の下端部に一体成形され，目地幅より幅狭の足部（１５）とから構成され、前記頭部を押圧して，前記足部が前記目地の底面（２ａ）に達して弾接するまで圧入した後，頭部をさらに押圧すると，柱部が左右に弾性変形して広がり前記シール部が木口面（１ａ）に弾接するものであることを特徴とする定型ガスケット。
【請求項２】
主として建物の外壁パネル（１）間の目地（２）に止水のために圧入される定型ガスケットであって、上下中程に中央部が上下の付根部より広がった形状の中空部（１２）を有すると共に、左右両端部にシール部（１３）を有し，目地幅（Ｗ）より幅狭の柱部（１１）と、前記柱部の上端部に一体成形され，目地幅より幅広の頭部（１４）と，前記柱部の下端部に一体成形され，目地幅より幅広の足部（１５）とから構成され、前記頭部を押圧して、前記足部が前記目地の底面（２ａ）に達して弾接するまで圧入した後，頭部をさらに押圧すると，柱部が左右に弾性変形して広がり前記シール部が木口面（１ａ）に弾接するものであることを特徴とする定型ガスケット。
【請求項３】
シール部（１３）又は／及び足部（１５）の外面に、粘着材（B）を設けたことを特徴とする請求項１又は２に記載の定型ガスケット。
【請求項４】
頭部（１４）の下面から、柱部（１１）の中空部（１２）に、前記頭部を押圧した際に、下端が足部（１５）に突き当たる長さの突当リブ（１６）を垂下設してなることを特徴とする請求項１，２または３に記載の定型ガスケット。
【請求項５】
足部（１３）の上面から、柱部（１１）の中空部（１２）に、頭部を押圧した際に、上端が頭部（１４）に突当たる長さの突当リブ（１７）を立設してなることを特徴とする請求項１，２又は３に記載の定型ガスケット。
【請求項６】
突当リブ（１６，１７）が、柱部（１１）、頭部（１４）および足部（１５）より硬質であることを特徴とする請求項４または５に記載の定型ガスケット。
【請求項７】
突当リブ（１６，１７）が、柱部（１１）の肉厚より厚肉であることを特徴とする請求項４又は５に記載のガスケット。
【請求項８】
足部（１５）に平面を設けたことを特徴とする請求項２，４，５，６，７に記載の定形ガスケット。
【発明の詳細な説明】
【技術分野】
【０００１】
本発明は、例えば、建物の外壁パネル間の目地に止水のために圧入される定型性のガスケットに関するものである。
【背景技術】
【０００２】
従来、建物の外壁パネル１間の目地２に圧入される定型ガスケット２０としては、図１および図２に示すように、頭部２１、柱部２２およびシールリップ部２３とから構成されるものがある。この定型ガスケット２０は、図２に示すように、そのシールリップ部２３を外壁パネル１の木口面１ａに弾接させて目地２の止水を行っている。
【０００３】
そして、目地幅Ｗの経年変化による広がりに対しては、シールリップ部２３の反力によって対応し、木口面１ａの凹凸に対しても、シールリップ部２３の追従性によって対応している。従って、経年変化による目地幅Ｗの広がりが大きい場合には、それに十分対応することができず、止水性が低下するといった問題がある。
【０００４】
また、従来、図３に示すように、目地幅Ｗの広がりや木口面１ａの凹凸に対応するために、シールリップ部３１の底面に離型紙３２を備えた粘着材Ｂを配した定型ガスケット３０が存在する。
【０００５】
この定型ガスケット３０は、目地２に圧入する際に、粘着材Ｂが木口面１ａに接触するので、圧入が困難であると共に粘着材Ｂが離脱し易く、また、粘着材Ｂに木口面１ａの汚れが付着するため、止水性が低下するといった問題がある。さらに、この定型ガスケット３０は、粘着材Ｂの離型紙３２を外しながら圧入する必要があるので、施工性が悪いといった問題もある。
【０００６】
また、木口面に接着剤を塗布するといった従来技術も存在するが（例えば、特許文献１参照）、木口面に接着材料を塗布する必要があるため、施工が厄介であるといった問題がある。
【特許文献１】特開平４−３１２６４３号公報
【発明の開示】
【発明が解決しようとする課題】
【０００７】
このように、従来の定型ガスケットは、止水性および施工性の点において、問題がある。本発明は、こうした問題に鑑み創案されたもので、目地幅の経時変化による広がりに対応することができ、止水性に優れ、かつ、施工性に優れる定型ガスケットを提供することを課題とする。
【課題を解決するための手段】
【０００８】
図４乃至図１０を参照して説明する。請求項１に記載の発明は、主として建物の外壁パネル１間の目地２に止水のために圧入される定型ガスケットであって、上下中程に中央部が上下の付根部より広がった形状の中空部１２を有すると共に，左右両端部にシール部１３を有し，目地幅Ｗより幅狭の柱部１１と、前記柱部１１の上端部に一体成形され，目地幅Ｗより幅広の頭部１４と，前記柱部１１の下端部に一体成形され，目地幅Ｗより幅狭の足部１５とから構成され、前記頭部１４を押圧して、前記足部１５が前記目地２の底面２ａに達して弾接するまで圧入した後、頭部１４をさらに押圧すると、柱部１１が左右に弾性変形して広がり前記シール部１３が木口面１ａに弾接するものであることを特徴とするものである。
【０００９】
請求項２に記載の発明は、主として建物の外壁パネル１間の目地２に止水のために圧入される定型ガスケットであって、上下中程に中央部が上下の付根部より広がった形状の中空部１２を有すると共に、左右両端部にシール部１３を有し，目地幅Ｗより幅狭の柱部１１と、前記柱部１１の上端部に一体成形され，目地幅Ｗより幅広の頭部１４と，前記柱部１１の下端部に一体成形され、目地幅Ｗより幅広の足部１５とから構成され、前記頭部１４を押圧して，前記足部１５が前記目地２の底面２ａに達して弾接するまで圧入した後、頭部１４をさらに押圧すると，柱部１１が左右に弾性変形して広がり前記シール部１３が木口面１ａに弾接するものであることを特徴とするものである。
【００１０】
請求項３の発明は、請求項１又は２に記載の発明において、シール部１３又は／及び足部１５に外面に粘着材Bを設けたことを特徴とするものである。
【００１１】
請求項４に記載の発明は、請求項１，２又は３に記載の発明において、頭部１４の下面から、柱部１１の中空部１２に、前記頭部１４を押圧した際に、下端が足部１５に突き当たる長さの突当リブ１６を垂下設してなることを特徴とするものである。
【００１２】
請求項５に記載の発明は、請求項１，２又は３に記載の発明において、足部１３の上面から、柱部１１の中空部１２に、頭部を押圧した際に、上端が頭部１４に突当たる長さの突当リブ１７を立設してなることを特徴とするものである。
【００１３】
請求項６に記載の発明は、請求項４又は５に記載の発明において、突当リブ１６が、柱部１１，頭部１４および足部１５より硬質であることを特徴とするものである。
【００１４】
請求項７に記載の発明は、請求項４又は５に記載の発明において、突当リブ１６，１７が、柱部１１の肉厚より厚肉であることを特徴とするものである。
【００１５】
請求項８に記載の発明は、請求項２，４，５，６，７に記載の発明において、足部１５に平面を設けたことを特徴とするものである。
【発明の効果】
【００１６】
請求項１に記載の定型ガスケットは、前記構成としたので、止水性および施工性に優れる。すなわち、当該ガスケットを、その頭部１４を押圧して目地２に圧入し、足部１５を目地２の底面２ａに接着させて固定する。そして、そのまま頭部１４の押圧を続けると、柱部１１が、中央部が上下の付根部より広がった形状の中空部１２を有しているので弾性変形して左右に広がり、左右両端部のシール部１３が外壁パネル１の木口面１ａに達して止水する。
【００１７】
また、シール部１３を縦長に設定することにより、シール面積を大きく設定することができ、よって高いシール性を確保することができる。さらに、頭部１４は目地幅Ｗより幅広であるので、その左右両端部が木口面１ａに弾接し、これによっても高い止水性を得ることができる。
【００１８】
請求項２に記載の定型ガスケットは、請求項１に記載の発明と同様に、高い止水性を得ることができる。また、頭部１４を目地幅Ｗより幅広に設定しているので、この頭部１４によっても止水性を確保することができる。また、施工性にも優れる。
【００１９】
請求項３に記載の定型ガスケットは、足部１５の粘着材Bを目地２の底面２ａに接着させて固定する。そして、左右両端部のシール部１３に廃した粘着材Ｂが外壁パネル１の木口面１ａに達して接着する。これによっても高い止水性を得ることができる。
【００２０】
請求項４，５に記載のガスケットは、頭部１４を押圧すると柱部１１が弾設変形して左右に広がり、頭部１４を押圧すると、その押圧力が突当リブ１６を介して足部１５に伝わり、当該足部１５は目地２の底面２ａに強く押し付けられる。従って、当該定型ガスケットを目地２の奥まで確実に圧入することができる。
【００２１】
請求項６に記載の定型ガスケットは、突当リブ１６が、柱部１１、頭部１４および足部１５と比較して硬質に設定されているため、足部１５をより正確かつ強固に目地２の底面２ａに押し付けて、定型ガスケットを目地２の奥までさらに確実に圧入することができる。
【００２２】
請求項７に記載の定型ガスケットは、突当リブ１６，１７が、柱部１１の肉厚より厚肉なので、シールの作用が確実である。
【００２３】
請求項８に記載の定型ガスケットは、ガスケット挿入時に、転びがより発生しにくい。
【００２４】
シール部は、粘着材を設定する場合は、柱部，頭部および足部よりも硬質な材料とした方が、粘着材が全面への力が伝わりやすくなり、より好ましい。又、シール部は、粘着材を設定した場合は、柱部，頭部および足部と同等またはそれ以下の硬度の材料とし、肉厚は柱部より厚くした方がシール部全体への力が伝わりやすくなり、より好ましい。
【発明を実施するための最良の形態】
【００２５】
本発明に係る定型ガスケットの第一実施形態を、図４乃至図６に示す。これは、建物の外壁パネル１間の目地２に止水のために圧入されるもので、柱部１１、頭部１４および足部１５で構成される。柱部１１は、上下中程に中央部が上下の付根部より広がった形状例えば略菱形状（五角形状；六角形状）の中空部１２を有すると共に、左右両端部に、外面に粘着材Ｂを配した垂直板状のシール部１３を有し、目地幅Ｗより幅狭に設定されている。柱部１１の本体部（シール部１３と粘着材Ｂを除く部分）は、中空部１２と同様に略菱形状に形成されている。頭部１４は、柱部１１の上端部に一体成形され、目地幅Ｗより幅広に設定されている。また、足部１５は、柱部１１の下端部に一体成形され、目地幅Ｗより幅狭で、下面に粘着材Ｂを配している。
【００２６】
この定型ガスケットを目地２に圧入するには、頭部１４を押圧して、足部１５を目地２の底面２ａに到達させて粘着材Ｂで接着させる（図５参照）。その後、頭部１４をさらに続けて押圧する。これにより、頭部１４がその両端部を木口面１ａに摺接しながら目地２に奥深く侵入し、かつ、柱部１１が弾性変形して左右に広がり、シール部１３の粘着材Ｂが木口面１ａに接着する（図６参照）。
【００２７】
その結果、以下の効果を発揮する。
（イ）頭部１４を押圧するのみで目地２に圧入することができるので、施工性に優れる。
（ロ）経年変化で目地幅Ｗが広がっても粘着材Ｂが木口面１ａに接着し、また、柱部１１が弾性変形して対応することができるので、優れた止水性を確保できる。
（ハ）柱部１１に垂直板状のシール部１３を設け、その外面に粘着材Ｂを配したので、広い接着面積を確保することができる。従って、木口面１ａに凹凸があっても密に接着し、高い止水性を得ることができる。
（ニ）目地２に所定深さ圧入後に、柱部１１を左右に広げてシール部１３の粘着材Ｂを木口面１ａに接着させるので、離型紙を剥がしながら圧入するといった面倒な作業を必要としない。従って、施工が容易である。
【００２８】
本発明に係る定型ガスケットの第二実施形態を、図７に示す。この定型ガスケットの特徴は、第一実施形態と異なり、足部１５を目地幅Ｗより幅広に設定したことである。従って、定型ガスケットを目地２に圧入する際に、この足部１５の両端部が木口面１ａに摺接し、当該定型ガスケットを傾倒させることなく安定姿勢で目地２の奥まで圧入することができる。また、圧入後において、この足部１５の両端部は木口面１ａに弾接するので、目地２の止水性を高めることができる。
【００２９】
本発明に係る定型ガスケットの第三実施形態を、図８および図９に示す。この定型ガスケットの特徴は、頭部１４の下面から、柱部１１の中空部１２に突当リブ１６を垂下設したことである。この突当リブ１６は、柱部１１、頭部１４および足部１５より硬質であり、頭部１４を押圧して柱部１１が弾性変形した際に、その下端が足部１５に突き当たる長さに設定されている。なお、突当リブ１６は、柱部１１、頭部１４および足部１５と同一材料で成形することもできる。その場合、肉厚を大きく設定したり、弾性変形し難い形状（例えば断面円形状）に設定するなどして十分な剛性を持たせることが好ましい。
【００３０】
この突当リブ１６を設けたことによって、頭部１４に対する押圧力が当該突当リブ１６を介して足部１５に直接伝わるので、足部１５を目地２の底面２ａに強く押し付けることができる。従って、足部１５を目地２の底面２ａ粘着材Ｂによって強固に固着することができると共に、当該定型ガスケットを目地２の奥まで確実に圧入することができ、優れた止水性と施工性を得ることができる。
【００３１】
本発明に係る定型ガスケットの第四実施形態を、図１０に示す。この定型ガスケットの特徴は、足部１５を目地幅Ｗより幅広に設定したものに突当リブ１６を設けたことである。この場合も、第三実施形態と同様に、突当リブ１６のはたらきによって足部１５を目地２の底面２ａに強く固着することができ、定型ガスケットを目地２の奥まで確実に圧入することができる。従って、優れた止水性と施工性を確保することができる。
【００３２】
図１１に示す本発明の第五実施形態は、突当リブ１６を足部１５に立設したものである。
【図面の簡単な説明】
【００３３】
【図１】従来例に係る定型ガスケットを示す断面図である。
【図２】図１に示す定型ガスケットを目地に圧入した状態を示す断面図である。
【図３】他の従来例に係る定型ガスケットを示す断面図である。
【図４】本発明に係る定型ガスケットの第一実施形態を示す断面図である。
【図５】図４に示す定型ガスケットを目地に圧入した状態を示す断面図である（柱部を広げる前の状態を示す）。
【図６】図４に示す定型ガスケットを目地に圧入した状態を示す断面図である（柱部を広げた後の状態を示す）。
【図７】本発明に係る定型ガスケットの第二実施形態を示す断面図である（目地に圧入する前の状態を示す）。
【図８】本発明に係る定型ガスケットの第三実施形態を示す断面図である（柱部を広げる前の状態を示す）。
【図９】本発明に係る定型ガスケットの第三実施形態を示す断面図である（柱部を広げた後の状態を示す）。
【図１０】本発明に係る定型ガスケットの第四実施形態を示す断面図である。
【図１１】本発明に係る定型ガスケットの第五実施形態を示す断面図である。
【符号の説明】
【００３４】
１      外壁パネル
１ａ    木口面
２      目地
２ａ    底面
１０    定型ガスケット
１１    柱部
１２    中空部
１３    シール部
１４    頭部
１５    足部
１６    突当リブ
１７    突当リブ
２０    定型ガスケット
２１    頭部
２２    柱部
２３    シールリップ部
３０    定型ガスケット
３１    シールリップ部
３２    離型紙
Ｂ      粘着材
Ｗ      目地幅
【図１】
2005336726.tif 000003
【図２】
2005336726.tif 000004
【図３】
2005336726.tif 000005
【図４】
2005336726.tif 000006
【図５】
2005336726.tif 000007
【図６】
2005336726.tif 000008
【図７】
2005336726.tif 000009
【図８】
2005336726.tif 000010
【図９】
2005336726.tif 000011
【図１０】
2005336726.tif 000012
【図１１】
2005336726.tif 000013